(57)【特許請求の範囲】
【請求項１】
発光部をバウンス面に向けて発光させて被写体を撮影するバウンス撮影を行う撮像装置であって、
前記バウンス面における反射に起因する減光量をバウンス面減光量として求めて、当該バウンス面減光量に基づいて前記発光部をプリ発光する際のプリ発光量を求める発光量制御手段と、
前記プリ発光量で前記発光部をプリ発光させて測光を行い、前記測光によって得られた測光結果に応じて前記発光部を本発光させて前記被写体の撮影を行う撮影制御手段と、を有し、
前記発光量制御手段は、前記発光部を前記バウンス面に向けて発光させて前記バウンス面からの反射光量をバウンス面反射光量として得て、予め設定された基準反射光量と前記バウンス面反射光量とに応じて前記バウンス面減光量を求めることを特徴とする撮像装置。
【請求項２】
前記発光量制御手段には、前記バウンス面で反射して前記被写体に向かう光路と前記発光部から前記被写体に向かう光路とがなす角度である光路入射角が予め設定されており、
前記発光量制御手段は、前記光路入射角に基づいて前記バウンス撮影の際の、前記発光部から前記被写体に向かう光路と前記発光部から前記バウンス面に向かう光路とがなすバウンス角度を決定することを特徴とする請求項１に記載の撮像装置。
【請求項３】
前記発光量制御手段には、前記バウンス角度に対応して前記バウンス面減光量の補正値が設定されており、
前記発光量制御手段は、前記バウンス角度に応じて前記バウンス面減光量を前記補正値で補正し、さらに、前記発光部を前記被写体に向けて発光させて前記被写体からの反射光量を被写体反射光量として得て、補正された前記バウンス面減光量と前記被写体反射光量とに基づいて、前記バウンス角度における被写体からの反射光量をバウンス時被写体反射光量として求め、前記バウンス時被写体反射光量が前記撮影制御手段による測光の際の光量の測光下限値よりも低いと、前記プリ発光量を変更することを特徴とする請求項２に記載の撮像装置。
【請求項４】
前記撮影制御手段には、前記プリ発光量で前記発光部をプリ発光させた際に測光を行うための測光センサーが備えられており、
前記発光量制御手段は、撮影レンズのＦ値と前記測光センサーにおけるダイナミックレンジの下限値とに基づいて前記測光下限値を求めることを特徴とする請求項３に記載の撮像装置。
【請求項５】
発光部をバウンス面に向けて発光させて被写体を撮影するバウンス撮影を行う撮像装置の制御方法であって、
前記バウンス面における反射に起因する減光量をバウンス面減光量として求めて、当該バウンス面減光量に基づいて前記発光部をプリ発光する際のプリ発光量を求める発光量制御ステップと、
前記プリ発光量で前記発光部をプリ発光させて測光を行い、前記測光によって得られた測光結果に応じて前記発光部を本発光させて前記被写体の撮影を行う撮影制御ステップと、を有し、
前記発光量制御ステップにて、前記発光部を前記バウンス面に向けて発光させて前記バウンス面からの反射光量をバウンス面反射光量として得て、予め設定された基準反射光量と前記バウンス面反射光量とに応じて前記バウンス面減光量を求めることを特徴とする制御方法。
【請求項６】
発光部をバウンス面に向けて発光させて被写体を撮影するバウンス撮影を行う撮像装置で用いられる制御プログラムであって、
前記撮像装置が備えるコンピュータに、
前記バウンス面における反射に起因する減光量をバウンス面減光量として求めて、当該バウンス面減光量に基づいて前記発光部をプリ発光する際のプリ発光量を求める発光量制御ステップと、
前記プリ発光量で前記発光部をプリ発光させて測光を行い、前記測光によって得られた測光結果に応じて前記発光部を本発光させて前記被写体の撮影を行う撮影制御ステップと、を実行させ、
前記発光量制御ステップにて、前記発光部を前記バウンス面に向けて発光させて前記バウンス面からの反射光量をバウンス面反射光量として得て、予め設定された基準反射光量と前記バウンス面反射光量とに応じて前記バウンス面減光量を求めることを特徴とする制御プログラム。
【発明の詳細な説明】
【技術分野】
【０００１】
本発明は、撮像装置、その制御方法、および制御プログラムに関し、特に、バウンス撮影を行う際の撮像装置の制御に関する。
【背景技術】
【０００２】
従来、ストロボなどの発光装置を用いて撮影を行う際に、ストロボの発光部を天井又は壁などのバウンス面に向けて発光させて撮影を行う手法が知られている。当該手法を用いれば、光の拡散によって被写体に直接ストロボ光を照射するよりも自然な配光で被写体を撮影することができる。上記の手法はこれを一般にバウンス撮影と呼ばれている。また、一般に、ストロボ撮影を行う際にはストロボの本発光前に露光用のプリ発光を行って露出を調整している。
【０００３】
プリ発光を行う際には、適正なプリ発光量を求める必要があるが、例えば、ストロボのガイドナンバーと測光センサーのダイナミックレンジとに応じてプリ発光量を求めるようにしたものがある（特許文献１参照）。
【先行技術文献】
【特許文献】
【０００４】
【特許文献１】特開２００５−１１５１６１号公報
【発明の概要】
【発明が解決しようとする課題】
【０００５】
ところで、バウンス撮影においてはストロボ光が天井又は壁などのバウンス面で反射した後、被写体に照射されるので、バウンス面の反射率とストロボからバウンス面までの距離との影響を受けて、被写体に照射されるストロボ光量が大きく低下することがある。そして、ストロボ光量が低下すると、露光用プリ発光における光量が測光センサーのダイナミックレンジ範囲を下回って、適正に測光できないことがある。その結果、つまり、プリ発光量が適正に測光できないと、本発光量が適正とはならず、バウンス撮影の際に適正な露出が行われないという事態が生じる。
【０００６】
従って、本発明の目的は、バウンス面の反射率とストロボからバウンス面までの距離とに拘わらず、プリ発光量を適正に測光してバウンス撮影の際の露出を適正に調整することのできる撮像装置、その制御方法、および制御プログラムを提供することにある。
【課題を解決するための手段】
【０００７】
上記の目的を達成するため、本発明による撮像装置は、発光部をバウンス面に向けて発光させて被写体を撮影するバウンス撮影を行う撮像装置であって、前記バウンス面における反射に起因する減光量をバウンス面減光量として求めて、当該バウンス面減光量に基づいて前記発光部をプリ発光する際のプリ発光量を求める発光量制御手段と、前記プリ発光量で前記発光部をプリ発光させて測光を行い、前記測光によって得られた測光結果に応じて前記発光部を本発光させて前記被写体の撮影を行う撮影制御手段と、を有し、前記発光量制御手段は、前記発光部を前記バウンス面に向けて発光させて前記バウンス面からの反射光量をバウンス面反射光量として得て、予め設定された基準反射光量と前記バウンス面反射光量とに応じて前記バウンス面減光量を求めることを特徴とする。
【０００８】
本発明による制御方法は、発光部をバウンス面に向けて発光させて被写体を撮影するバウンス撮影を行う撮像装置の制御方法であって、前記バウンス面における反射に起因する減光量をバウンス面減光量として求めて、当該バウンス面減光量に基づいて前記発光部をプリ発光する際のプリ発光量を求める発光量制御ステップと、前記プリ発光量で前記発光部をプリ発光させて測光を行い、前記測光によって得られた測光結果に応じて前記発光部を本発光させて前記被写体の撮影を行う撮影制御ステップと、を有し、前記発光量制御ステップにて、前記発光部を前記バウンス面に向けて発光させて前記バウンス面からの反射光量をバウンス面反射光量として得て、予め設定された基準反射光量と前記バウンス面反射光量とに応じて前記バウンス面減光量を求めることを特徴とする。
【０００９】
本発明による制御プログラムは、発光部をバウンス面に向けて発光させて被写体を撮影するバウンス撮影を行う撮像装置で用いられる制御プログラムであって、前記撮像装置が備えるコンピュータに、前記バウンス面における反射に起因する減光量をバウンス面減光量として求めて、当該バウンス面減光量に基づいて前記発光部をプリ発光する際のプリ発光量を求める発光量制御ステップと、前記プリ発光量で前記発光部をプリ発光させて測光を行い、前記測光によって得られた測光結果に応じて前記発光部を本発光させて前記被写体の撮影を行う撮影制御ステップと、を実行させ、前記発光量制御ステップにて、前記発光部を前記バウンス面に向けて発光させて前記バウンス面からの反射光量をバウンス面反射光量として得て、予め設定された基準反射光量と前記バウンス面反射光量とに応じて前記バウンス面減光量を求めることを特徴とする。
【発明の効果】
【００１０】
本発明によれば、バウンス面の反射率と発光部からバウンス面までの距離とに拘わらず、プリ発光量を適正に測光してバウンス撮影の際の露出を適正に調整することができる。
【図面の簡単な説明】
【００１１】
【図１】本発明の実施の形態による撮像装置の一例についてその構成を示す断面図である。
【図２】図１に示すカメラを用いてオートバウンス撮影を行った際のカメラ本体で行われる処理を説明するためのフローチャートである。
【図３】図１に示すカメラを用いてオートバウンス撮影を行う際のストロボ装置で行われる処理を説明するためのフローチャートである。
【図４】図１に示すストロボ装置とストロボ光路入射角との関係を示す図である。
【図５】図１に示すストロボマイコンで行われるバウンスプリ発光量の算出を説明するためのフローチャートである。
【図６】図１に示すカメラマイコンに記録された補正値テーブルについてその一例を示す図である。
【発明を実施するための形態】
【００１２】
以下に、本発明の実施の形態による撮像装置の一例について図面を参照して説明する。
【００１３】
図１は、本発明の実施の形態による撮像装置の一例についてその構成を示す断面図である。
【００１４】
図示の撮像装置は、例えば、撮影レンズユニット（以下単に撮影レンズと呼ぶ）が交換可能な所謂一眼レフタイプのデジタルカメラ（以下単にカメラと呼ぶ）。カメラは、カメラ本体１、撮影レンズ２、およびストロボ装置３などの閃光装置を有している。
【００１５】
カメラ本体１には、ＣＭＯＳ又はＣＣＤなどのエリア蓄積型光電変換素子を有する撮像素子が備えられている。カメラ本体１において、撮影レンズ２の光軸上には半透過性の主ミラー１１が配置されており、この主ミラー１１は撮影の際には上部に跳ね上げられる。つまり、撮影の際には、主ミラー１１は光軸から退避した位置に移動する。
【００１６】
主ミラー１１の上側にはペンタプリズム１２が配置されており、主ミラー１１で反射した光（光学像）はペンタプリズム１２を介して接眼レンズ１３に導かれる。また、ペンタプリズム１２を介して測光センサー１４に光学像が入射し、測光センサー１５は光学像に応じて被写体の輝度に関する輝度情報（測光結果）を得る。
【００１７】
測光用センサー１４は、例えば、シリコンフォトダイオードなどの光電変換素子を備え、複数の光電変換素子が受光センサー部として格子状に配列されている。そして、測光センサー１４は撮影画面の略全体を視野とする。
【００１８】
シャッタースイッチ（ＳＷ）１５を軽く押すと、マイクロコンピュータ（カメラマイコン：ＣＣＰＵ）１６は被写体に関して測光および焦点検出を開始する。以下の説明では、シャッターＳＷ１５を軽く押す動作をＳ１と呼び、Ｓ１オンとなると、カメラマイコン１６は被写体の測光および焦点検出を開始する。
【００１９】
シャッターＳＷ１５を深く押すと、カメラマイコン１６は露光を開始する。以下の説明では、シャッターＳＷ１５を深く押す動作をＳ２と呼び、Ｓ２オンとなると、カメラマイコン１６は露光を開始する。
【００２０】
カメラマイコン１６は、カメラ本体１を制御する。カメラマイコン１６は、例えば、ＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄコンバータ、およびＤ／Ａコンバータを含むマイコン内蔵ワンチップＩＣ回路である。
【００２１】
撮影レンズ２には、マイクロコンピュータ（レンズマイコン：ＬＰＵ）２１が搭載されており、レンズマイコン２１は、例えば、ＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄコンバータ、およびＤ／Ａコンバータを含むマイコン内蔵ワンチップＩＣ回路である。そして、レンズマイコン２１は、カメラマイコン１６の指示に従って撮影レンズ２を制御する。なお、撮影レンズ２の明るさの指標となるＦ値はレンズマイコン２１に記憶されている。
【００２２】
ストロボ装置３は、ストロボ装置３を制御する本体部３０と発光部３１とを備えている。そして、本体部３０と発光部３１とは連結部３２により連結されている。連結部３２によって本体部３０を固定した状態で発光部３１の角度を水平方向および垂直方向に変えることができる。発光部３１は、発光部３１の角度を変更するための駆動部３３、光源３４、および測距用測光センサー３５を備えている。
【００２３】
本体部３０は、ＭＰＵ（ストロボマイコン）３８、オートバウンスＳＷ３６、および角度検出部３７を有している。ストロボマイコン３８の制御下で駆動部３３は発光部３１を駆動して発光部３１の照射方向を変更する。オートバウンスＳＷ３６は、撮影の際に、ユーザーがバウンス角度を自動的に求めるシーケンス（オートバウンスモード）を行うか否かを選択するために用いられる。角度検出部３７は発光部３１の角度を検出する。
【００２４】
オートバウンスＳＷ３６によってオートバウンスモードが選択されると、ストロボマイコン３８は、駆動部３３を制御して発光部３１を水平方向および垂直方向において最適なバウンス角度に位置づける。なお、最適なバウンス角度は、バウンス撮影を行った際に被写体に対する影の映りこみが少なく自然な配光となる角度をいう。
【００２５】
最適なバウンス角度を求める際には、ストロボマイコン３８は、被写体とストロボ置３、そして、光を反射させるバウンス面の位置関係に応じて最適なバウンス角を求める。そして、当該位置関係を求める際には、ストロボ装置３の発光から反射光の受光までの時間差を距離に換算する測距手法が用いられる。例えば、光源３４から出射した光が測距対象で反射して、当該反射光を測距用測光センサー３５で受光するまでの時間差に応じて測距対象までの距離を測定する。ストロボ装置３を被写体に向けて発光した際には、被写体とストロボ装置３と距離を測距することができ、バウンス面に向けて発光した際には、バウンス面とストロボ装置との距離を測距することができる。なお、測距を行う際には、上述の測距手法に限らず、別の測距手法を用いるようにしてもよい。
【００２６】
ストロボ装置３を用いた通常の撮影の場合、シャッターＳＷ１５を軽く押すと、カメラマイコ１６はンストロボ装置３を制御して露光用プリ発光を行う。これによって、プリ発光による光が被写体で反射し、その反射光が撮影レンズ２を介して主ミラー１１で反射する。そして、当該反射光はペンタプリズム１２を介して測光用センサー１４に入射する。測光用センサー１４は当該反射光に応じて測光値（輝度情報）を得る。カメラマイコン１６はこの測光値に応じて適正露出となるストロボ装置３の本発光の際の発光量を決定する。
【００２７】
一方、バウンス撮影の際には、プリ発光による光がバウンス面の反射率およびストロボ装置とバウンス面との距離によって光量が減衰する。このため、反射光が測光用センサー１４のダイナミックレンジを下回って正常に測光できないことがある。
【００２８】
図２は、図１に示すカメラを用いてオートバウンス撮影を行う際のカメラ本体で行われる処理を説明するためのフローチャートである。なお、図示のフローチャートに係る処理は、カメラマイコン１６の制御下で行われる。
【００２９】
オートバウンスＳＷ３６がオンであると、ストロボマイコン３８はその旨をカメラマイコン１６に通知する。これによって、カメラマイコン１６は、オートバウンス撮影処理を開始する。続いて、カメラマイコン１６はＳ１オンであるか否かを判定する（ステップＳ１００）。Ｓ１オフであると（ステップＳ１００において、ＮＯ）、カメラマイコン１６は待機する。
【００３０】
一方、Ｓ１オンであると（ステップＳ１００において、ＹＥＳ）、カメラマイコン１６は、前述のように、被写体の測光（ＡＥ）および焦点位置（ＡＦ）を検出する（ステップＳ１０１）。次に、カメラマイコン１６は、測光用センサー１４が正常に測光可能な下限値（測光下限値）ｙを求める（ステップＳ１０２）。
【００３１】
ステップＳ１０２の処理では、カメラマイコン１６は、撮影レンズ２のＦ値をレンズマイコン２１から読み取る。そして、カメラマイコン１６は、測光センサー１４のダイナミックレンジの下限値とＦ値とに基づいて、次の式（１）によって測光下限値ｙを求める。
測光下限値ｙ＝測光センサーダイナミックレンジの下限値÷（Ｆ値）２      （１）
【００３２】
次に、カメラマイコン１６は、測光下限値ｙをストロボ装置（ＳＴ）３（つまり、ストロボマイコン３８）に送る（ステップＳ１０３）。そして、カメラマイコン１６は、ストロボマイコン３８にオートバウンス駆動指示を送る（ステップＳ１０４）。
【００３３】
図３は、図１に示すカメラを用いてオートバウンス撮影を行う際のストロボ装置で行われる処理を説明するためのフローチャートである。
【００３４】
カメラマイコン１６からオートバウンス駆動指示を受けると、ストロボマイコン３８はバウンス駆動を開始する。まず、ストロボマイコン３８は被写体距離（正面距離ともいう）を測距するため、発光部３１を被写体に向けて発光を行う。これによって、被写体で反射した光（反射光）が測距用測光センサー３５で受光される。そして、ストロボマイコン３８は発光から受光までに要した時間に応じて被写体距離を求める。さらに、ストロボマイコン３８は、測距用測光センサー３５の受光量を被写体反射光量Ｌ１として内蔵メモリに記録する（ステップＳ２００）。
【００３５】
続いて、ストロボマイコン３８は発光部３１を駆動してその向きを垂直方向とする。そして、ストロボマイコン３８は、発光部３１とバウンス面との距離を求めるため、ステップＳ２００の処理と同様にして発光部３１を発光する。これによって、ストロボマイコン３８は発光部３１とバウンス面との距離であるバウンス面距離を求める。さらに、ストロボマイコン３８は測距用測光センサー３５の受光量をバウンス面反射光量Ｌ２として内蔵メモリに記録する（ステップＳ２０１）。
【００３６】
ストロボマイコン３８には、最適なストロボ光路入射角θ２が設定・記録されている。このストロボ光路入射角θ２は固定値であって、被写体に影が映り込むことなくかつ発光エネルギーのロスが少ない角度とされる。
【００３７】
図４は、図１に示すストロボ装置３とストロボ光路入射角θ２との関係を示す図である。
【００３８】
図示のように、バウンス角Ｘとして、ストロボ装置３を発光させると、ストロボ装置３から被写体４０に向かう光は、直接的に被写体４０に向かう光（直接光）とバウンス面４１のバウンス反射面で反射して間接的に被写体４０に向かう光（間接光）とがある。ストロボ光路入射角θ２は、上記の直接光（光路）と間接光（光路）とのなす角度である。
【００３９】
ストロボマイコン３８は、ストロボ光路入射角θ２に発光部３１の角度を合わせるための最適バウンス角度Ｘを求める（ステップＳ２０３）。なお、最適バウンス角度Ｘの算出手法は既知であるので、ここでは説明を省略する。
【００４０】
続いて、ストロボマイコン３８を角度検出部３７で検出される角度を参照しつつ、駆動部３３を制御して発光部３１を駆動する（Ｓ２０４）。つまり、ストロボマイコン３８を発光部３１（ヘッド）の角度を制御して最適バウンス角度Ｘとする。そして、ストロボマイコン３８は、当該最適バウンス角度Ｘにおけるプリ発光量（バウンスプリ発光量）を求める（ステップＳ２０５）。
【００４１】
図５は、図１に示すストロボマイコン３８で行われるバウンスプリ発光量の算出を説明するためのフローチャートである。
【００４２】
バウンスプリ発光量の算出を開始すると、ストロボマイコン３８は、まずバウンス面に向けてプリ発光を行った際のバウンス面による減光量を求める（ステップＳ３０１）。カメラマイコン１６には、予め所定の距離にある基準反射板に向けて発光した際の反射光量Ｌ０が基準反射光量Ｌ０として記憶されている。カメラマイコン１６からストロボマイコン３８に基準反射光量Ｌ０が送られ、ストロボマイコン３８は、次の式（２）で示すように、前述のバウンス面反射光量Ｌ２を基準反射光量Ｌ０で除算して、バウンス面における反射に起因する減光量βを求める。
バウンス面減光量β＝バウンス面反射光量Ｌ２÷基準反射光量Ｌ０      （２）
【００４３】
なお、バウンス面減光量βを求める際には、上記の手法の他に、例えば、バウンス面の反射率および距離を用いて減衰量を求めるようにしてもよい。
【００４４】
ところで、バウンス面反射光量Ｌ２は、発光部３１の角度を９０°として得た光量であるので、発光部３１の角度を最適バウンス角度Ｘとした際に得られるバウンス面減光量との間にはずれが生じる。このため、カメラマイコン１６にはバウンス角度の変化分を補正するための補正値θａが予めテーブルとして記憶されている。
【００４５】
図６は、図１に示すカメラマイコン１６に記録された補正値θａのテーブルについてその一例を示す図である。
【００４６】
図６に示すテーブルにおいて、ヘッド角度（発光部３１の角度）に対応づけて補正値θａ（反射光量補正値）が記録されており、発光部３１が被写体に向いている状態を角度０°とする。そして、バウンス角度を９０°とした際に得たバウンス面反射光量Ｌ２を基準とする（つまり、補正値θａ＝０とする）。
【００４７】
ここで、図４および図６を参照して、発光部３１の角度９０°を基準として、発光部３１が被写体側に傾くと、バウンス反射面４２は被写体よりの位置に移動してカメラ本体１で受ける反射光は増加する。このため、ヘッド角度が小さくなるにつれて補正値θａはプラス方向に大きくなる。
【００４８】
一方、発光部３１がカメラ本体１の背面側に傾くと、バウンス反射面４２の位置は被写体から遠ざかる位置に移動してカメラ本体１で受ける反射光は減少する。このため、ヘッド角度が大きくなるにつれて補正値θａはマイナス方向に大きくなる。
【００４９】
よって、図６に示すテーブルを用いると、補正後のバウンス面減光量αは次の式（３）で示されることになる。
補正後バウンス面減光量α＝バウンス面減光量β×補正値θａ      （３）
【００５０】
続いて、カメラマイコン１６からストロボマイコン３８に、ヘッド角度に応じた補正値θａが送られる。ストロボマイコン３８は、式（３）に応じて補正後バウンス面減光量αを求める。その後、ストロボマイコン３８は、最適バウンス角度Ｘにおいて発光部３１をプリ発光する。そして、ストロボマイコン３８は、次の式（４）に基づいてバウンス時被写体反射光量Ｌ３を求める（バウンスプリ発光量演算：ステップＳ３０２）。
バウンス時被写体反射光量Ｌ３＝被写体反射光量Ｌ１×補正後バウンス面減光量α      （４）
【００５１】
次に、ストロボマイコン３８は、測光センサー１４が適正に測光可能な光量の下限値ｙがバウンス時被写体反射光量Ｌ３以下であるか否かを判定する（ステップＳ３０３）。バウンス時被写体反射光量Ｌ３≧下限値ｙであると（ステップＳ３０３において、ＹＥＳ）、ストロボマイコン３８はプリ発光量を変更することなく、バウンスプリ発光演算を終了する。
【００５２】
一方、バウンス時被写体反射光量Ｌ３＜下限値ｙであると（ステップＳ３０３において、ＮＯ）、ストロボマイコン３８はプリ発光量を補正する（ステップＳ３０４）。ここでは、ストロボマイコン３８は、測光下限値ｙに対するバウンス時被写体反射光量Ｌ３の不足分を補うため、バウンス時プリ発光の発光制御レベルを上げる。これによって、ストロボマイコン３８はバウンス時被写体反射光量Ｌ３の不足分を補正する。このようにして、バウンスプリ発光量を大きくすることによって、測光センサー１４は適正に測光を行うことができる。その後、ストロボマイコン３８はバウンスプリ発光演算を終了する。
【００５３】
再び図３を参照して、ステップＳ２０５の処理の後、ストロボマイコン３８は、発光部３１が最適バウンス角度Ｘに向けて駆動中であるか否かを判定する（ステップＳ２０６）。発光部３１が駆動中であると（ステップＳ２０６において、ＹＥＳ）、ストロボマイコン３８は待機する。一方、発光部３１が駆動中でないと（ステップＳ２０６において、ＮＯ）、ストロボマイコン３８は発光部３１の駆動が終了した旨をカメラマイコン１６に通知する（ステップＳ２０７）。そして、ストロボマイコン３８はバウンス駆動を終了する。
【００５４】
再び図２を参照して、ステップＳ１０４の処理の後、カメラマイコン１６は、ストロボマイコン３８からバウンス駆動終了通知を受けたか否かを判定する。つまり、カメラマイコン１６は、バウンス駆動指示が終了したか否かを判定する（ステップＳ１０５）。バウンス駆動指示が終了していないと（ステップＳ１０５において、ＮＯ）、カメラマイコン１６は待機する。
【００５５】
一方、バウンス駆動指示が終了すると（ステップＳ１０５において、ＹＥＳ）、カメラマイコン１６はＳ２オンであるか否かを判定する（ステップＳ１０６）。Ｓ２オンであると（ステップＳ１０６において、ＹＥＳ）、カメラマイコン１６は、ストロボ装置３の発光制御および露光制御を行って撮影を実行する（ステップＳ１０７）。そして、カメラマイコン１６はオートバウンス撮影処理を終了する。
【００５６】
なお、露光のためのプリ発光は測光センサー１４のダイナミックレンジに収まる光量とされる結果、適正な測光を行うことができ、撮影の際にはストロボ装置３は適正な本発光量で発光することができる。
【００５７】
Ｓ２オフであると（ステップＳ１０６において、ＮＯ）、カメラマイコン１６は、Ｓ１オンであるか否かを判定する（ステップＳ１０８）。Ｓ１オフであると（ステップＳ１０８において、ＮＯ）、カメラマイコン１６はオートバウンス撮影処理を終了する。一方、Ｓ１オンであると（ステップＳ１０８において、ＮＯ）、カメラマイコン１６はＡＥ制御およびＡＦ制御を行って（ステップＳ１０９）、ステップＳ１０６の処理に戻る。
【００５８】
このように、本発明の実施の形態では、自動的にバウンス角度を決定して撮影を行う場合に、プリ発光量が適正であるか否かを判定する。そして、プリ発光量が適正でない場合には、プリ発光量を補正することによって、バウンス撮影の際に適正な露出で撮影を行うことができる。
【００５９】
上述の説明から明らかなように、図１に示す例においては、カメラマイコン１６およびストロボマイコン３８が発光量制御手段および撮影制御手段として機能する。
【００６０】
以上、本発明について実施の形態に基づいて説明したが、本発明は、これらの実施の形態に限定されるものではなく、この発明の要旨を逸脱しない範囲の様々な形態も本発明に含まれる。
【００６１】
また、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００６２】
［その他の実施形態］
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
１  カメラ本体
２  撮影レンズ
３  ストロボ装置
１４  測光用センサー
１６  カメラマイコン
３５  測距用測光センサー
３６  オートバウンスＳＷ
３７  角度検出部
４１  バウンス面
４２  バウンス反射面
【図１】
0006611520.tif 000002
【図２】
0006611520.tif 000003
【図３】
0006611520.tif 000004
【図４】
0006611520.tif 000005
【図５】
0006611520.tif 000006
【図６】
0006611520.tif 000007